(57)【要約】【課題】光走査装置を大型化することなく実質的な清掃領域を十分に確保する。【解決手段】清掃部材６１を保持する保持部材６２は、移動機構から動力を受ける内側ボス部材６２ａと、内側ボス部材６２ａを内側に収容し内側ボス部材６２ａよりも長尺の外側ボス部材６２ｄとを備えた内外二重構造であり、外側ボス部材６２ｄは内側ボス部材６２ａよりも先に移動端に達して停止し、その後に内側ボス部材６２ａが外側ボス部材６２ｄ内を移動して移動端に達して停止する。【選択図】図５
2018034338.tif 000002
【特許請求の範囲】
【請求項１】
所定方向に延びる光出射口を有するハウジングと、上記光出射口を閉塞する透明カバー部と、該透明カバー部の表面に摺接して該表面を清掃する清掃部材と、該清掃部材を保持する保持部材と、該保持部材を上記透明カバー部に沿って上記所定方向に往復移動させる移動機構とを備えた、光走査装置であって、
上記保持部材は、上記移動機構から動力を受ける内側ボス部材と、該内側ボス部材を内側に収容し当該内側ボス部材よりも長尺の外側ボス部材とを備えた内外二重構造であり、
上記外側ボス部材は内側ボス部材よりも先に移動端に達して停止し、その後に上記内側ボス部材が上記外側ボス部材内を移動して移動端に達して停止する、光走査装置。
【請求項２】
請求項１記載の光走査装置において、
上記内側ボス部材は、上記外側ボス材部の内側に軽圧入状態で収容されている、光走査装置。
【請求項３】
請求項１又は２記載の光走査装置において、
上記内側ボス部材は、上記外側ボス部材に対して周方向に回り止めされている、光走査装置。
【請求項４】
請求項１乃至３のいずれか一項に記載の光走査装置において、
上記移動機構は、スクリュー機構又はワイヤー機構である、光走査装置。
【請求項５】
請求項１乃至４のいずれか一項に記載の光走査装置を備えた画像形成装置。
【発明の詳細な説明】
【技術分野】
【０００１】
本発明は、光走査装置及び該光走査装置を備えた画像形成装置に関する。
【背景技術】
【０００２】
従来より、複写機やプリンタ等の電子写真方式を採用する画像形成装置は、感光体ドラムに静電潜像を形成するための光を出射する光走査装置と、感光体ドラムに形成された静電潜像をトナー像として現像するための現像装置とを備えている（例えば、特許文献１参照）。
【０００３】
光走査装置は、ポリゴンミラーや結像レンズ等を収容するハウジングを有している。ハウジングには、光が出射する光出射口が形成されている。光出射口は、所定方向に延びる開口部からなる。光出射口は透明カバー部によって閉塞されている。
【０００４】
ところで、透明カバー部の表面にトナー等による汚れや埃等が付着すると、光走査装置の光学特性が低下し、画像不良が生じるという問題がある。これに対し、特許文献１には、図２０乃至図２２に示すような清掃機構１０１が開示されている。この清掃機構１０１は、透明カバー部１０２を清掃するための清掃部材１０３と、清掃部材１０３を保持する保持部材１０４と、保持部材１０４を嵌合支持するスクリュー軸１０５とを有している。
【０００５】
保持部材１０４は、モーターによりスクリュー軸１０５が正回転及び逆回転されることで、スクリュー軸１０５に沿って往復移動するようになっている。これにより、清掃部材１０３が透明カバー部１０２の表面に当接しながら往復移動して、透明カバー部の表面が清掃部材１０３によって清掃される。
【先行技術文献】
【特許文献】
【０００６】
【特許文献１】特開２０１５−１９９２７８号公報
【発明の概要】
【発明が解決しようとする課題】
【０００７】
しかしながら、特許文献１のような清掃機構１０１では、保持部材１０４は、スクリュー軸１０５に嵌合する円筒形のボス部１０６と、ボス部１０６からスクリュー軸１０５と直交する方向に延びるアーム部１０７とを有していて、このアーム部１０７に清掃部材１０３が保持されているため、図２３に示すように、清掃部材１０３は往復移動時に透明カバー部１０２との当接による摩擦抵抗で傾こうとする。
【０００８】
これでは、ボス部１０６がスクリュー軸１０５の両端に達しても清掃部材１０３が傾いていると、透明カバー部１０２に拭き残しが生ずる。
【０００９】
そこで、ボス部１０６を長くしてスクリュー軸１０５との安定した嵌合状態を確保することが考えられるが、単にボス部１０６を長くしただけでは、その分だけ実質的な清掃領域が減少するため、清掃領域を十分に確保するためには光走査装置が大型化してしまう。
【００１０】
本発明は、かかる点に鑑みてなされたものであり、その目的とするところは、光走査装置を大型化することなく実質的な清掃領域を十分に確保することにある。
【課題を解決するための手段】
【００１１】
本発明に係る光走査装置は、所定方向に延びる光出射口を有するハウジングと、上記光出射口を閉塞する透明カバー部と、該透明カバー部の表面に摺接して該表面を清掃する清掃部材と、該清掃部材を保持する保持部材と、該保持部材を上記透明カバー部に沿って上記所定方向に往復移動させる移動機構とを備えている。
【００１２】
そして上記保持部材は、上記移動機構から動力を受ける内側ボス部材と、該内側ボス部材を内側に収容し当該内側ボス部材よりも長尺の外側ボス部材とを備えた内外二重構造であり、上記外側ボス部材は内側ボス部材よりも先に移動端に達して停止し、その後に上記内側ボス部材が上記外側ボス部材内を移動して移動端に達して停止する。
【発明の効果】
【００１３】
本発明によれば、外側ボス部材が停止した状態で、内側ボス部材が長尺の外側ボス部材に収容された状態で外側ボス部材内で移動するため、保持部材は傾くことなく前後方向に安定して移動する。したがって、光走査装置の小型化と実質的な清掃領域の確保との両立を図ることができる。
【図面の簡単な説明】
【００１４】
【図１】図１は、実施形態における画像形成装置の概略構成を示す全体図である。
【図２】図２は、光走査装置を前方斜め右側から見た斜視図である。
【図３】図３は、光走査装置を上側から見た平面図である。
【図４】図４は、保持部材をスクリュー軸の軸方向から見た概略図である。
【図５】図５は、内側ボス部材及び外側ボス部材が前側の軸受プレートに当接した状態の保持部材の横断平面図である。
【図６】図６は、往復移動経路を移動中の保持部材の斜視図である。
【図７】図７は、図６を斜め右側から見た斜視図である。
【図８】図８は、保持部材の斜視図である。
【図９】図９は、図８を斜め下方から見た斜視図である。
【図１０】図１０は、外側ボス部材の斜視図である。
【図１１】図１１は、内側ボス部材の斜視図である。
【図１２】図１２は、清掃部材の板状ホルダーの斜視図である。
【図１３】図１３は、清掃部材のブレードの斜視図である。
【図１４】図１４は、清掃部材の斜視図である。
【図１５】図１５は、清掃部材の清掃動作を説明する工程図である。
【図１６】図１６は、内側ボス部材及び外側ボス部材が後側の軸受プレートに当接した状態の保持部材の横断平面図である。
【図１７】図１７は、往復移動経路を移動中の保持部材の横断平面図である。
【図１８】図１８は、他の実施形態の清掃機構を示す平面図である。
【図１９】図１９は、内側ボス部材と外側ボス部材との位置関係を示す変形例の保持部材の横断平面図である。
【図２０】図２０は、従来例の図８相当図である。
【図２１】図２１は、従来例の図４相当図である。
【図２２】図２２は、従来例の図１７相当図である。
【図２３】図２３は、従来例において保持部材が傾いた状態を示す図２２対応図である。
【発明を実施するための形態】
【００１５】
以下、本発明の実施形態を図面に基づいて詳細に説明する。尚、本発明は、以下の実施形態に限定されるものではない。
【００１６】
＜実施形態＞
図１は、この発明の実施形態に係る画像形成装置１の概略構成図を示す。以下の説明において、前側、後側は、画像形成装置１の前側、後側（図１の紙面垂直方向の手前側、奥側）を意味し、左側、右側は、画像形成装置１を前側から見たときの左側、右側を意味するものとする。
【００１７】
上記画像形成装置１は、タンデム方式のカラープリンターであって、箱形のケーシングによって覆われた画像形成装置本体２を有している。画像形成装置本体２内には画像形成部３が設けられている。この画像形成部３は、ネットワーク接続等がされたコンピューター等の外部機器から伝送されてくる画像データーに基づき画像を記録紙Ｐに転写形成する。画像形成部３の下側には、レーザー光を出射する２つの光走査装置４が配置され、画像形成部３の上側には、転写ベルト５が配置されている。２つの光走査装置４の下側には、記録紙Ｐを貯留する用紙貯留部６が配置され、用紙貯留部６の左側には、手差し給紙部７が配置されている。転写ベルト５の右側且つ上側には、記録紙Ｐに転写形成された画像に定着処理を施す定着部８が配置されている。符号９は、画像形成装置本体２の上部に配置され、定着部８で定着処理が施された記録紙Ｐを排出する用紙排出部である。
【００１８】
画像形成部３は、転写ベルト５に沿って一列に配置された４つの画像形成ユニット１０を備えている。これら画像形成ユニット１０は、感光体ドラム１１を有している。各感光体ドラム１１の直下には、帯電器１２が配置され、各感光体ドラム１１の左側には、現像装置１３が配置され、各感光体ドラム１１の直上には、一次転写ローラー１４が配置され、各感光体ドラム１１の右側には、感光体ドラム１１の周面をクリーニングするクリーニング部１５が配置されている。
【００１９】
各感光体ドラム１１は、帯電器１２によって周面が一定に帯電され、当該帯電後の感光体ドラム１１の周面に対して、所定の画像データーに基づくレーザー光が２つ光走査装置４から照射され、各感光体ドラム１１の周面に静電潜像が形成される。かかる静電潜像に現像装置１３から現像剤が供給されて、各感光体ドラム１１の周面にイエロー、マゼンタ、シアン、又はブラックのトナー像が形成される。これらトナー像は、一次転写ローラー１４に印加された転写バイアスにより転写ベルト５にそれぞれ重ねて転写される。
【００２０】
符号１６は、定着部８の下側に転写ベルト５と当接した状態で配置された二次転写ローラーであり、用紙貯留部６又は手差し給紙部７から用紙搬送路１７を搬送される記録紙Ｐを二次転写ローラー１６と転写ベルト５とで挟持し、二次転写ローラー１６に印加された転写バイアスにより転写ベルト５上のトナー像を記録紙Ｐに転写するようになっている。
【００２１】
定着部８は、加熱ローラー１８と加圧ローラー１９とを備え、これら加熱ローラー１８と加圧ローラー１９とにより記録紙Ｐを挟持して加圧しながら加熱し、記録紙Ｐに転写されたトナー像を記録紙Ｐに定着させるようになっている。定着処理後の記録紙Ｐは、用紙排出部９に排出される。符号２０は、両面印刷時に定着部８から排出された記録紙Ｐを反転させるための反転搬送路である。
【００２２】
−光走査装置の詳細−
上記２つの光走査装置４は左右方向に並んで配置されている。左側の光走査装置４は、マゼンタ（Ｍ）及びシアン（Ｃ）に対応するレーザー光を出射し、右側の光走査装置４は、イエロー（Ｙ）及びブラック（Ｋ）に対応するレーザー光を出射するように構成されている。２つの光走査装置４の構成は同じであるため、以下では、右側の光走査装置４の構成についてのみ説明し、左側の光走査装置４の説明は省略する。
【００２３】
図２及び図３に示すように、光走査装置４は、樹脂製のハウジング２１を備えている。ハウジング２１は、扁平な密閉箱状をなしている。ハウジング２１は、上側に開放する有底箱状のハウジング本体３０と、ハウジング本体３０の上側を覆う上蓋４０と、ハウジング本体３０の下側を覆う下蓋５０とで構成されている。上蓋４０には、左右方向に並ぶ一対の光出射口４２が形成されている。各光出射口４２は前後方向（所定方向）に延びる矩形状をなしており、各光出射口４２は透明カバー部としてのガラスカバー４３によって閉塞されている。上蓋４０における各ガラスカバー４３の前側及び後側に隣接する箇所には、後述する清掃部材６１により収集した異物を落下させるための前側凹部４４ａ及び後側凹部４４ｂが形成されている。前側凹部４４ａ及び後側凹部４４ｂは共に上側に開放している。
【００２４】
ハウジング本体３０内には、図示しないが、イエロー（Ｙ）及びブラック（Ｋ）（又はマゼンタ（Ｍ）及びシアン（Ｃ））に対応する一対のレーザー光を発生する光源と、レーザー光を偏向するポリゴンミラーと、該偏向されたレーザー光を感光体ドラム１１の表面に結像させる光学素子群とが収容されている。光源から出射された一対のレーザー光は、ポリゴンミラーにより主走査方向に走査された後、光学素子群により結像され、上蓋４０に形成された各光出射口４２から各色に対応する感光体ドラム１１に向けて出射される。
【００２５】
上蓋４０の上面には、各ガラスカバー４３を自動で清掃するための一対の清掃機構６０が設けられている。各清掃機構６０は、ガラスカバー４３の表面に摺接して該表面を清掃する清掃部材６１と、清掃部材６１を保持する保持部材６２と、保持部材６２をガラスカバー４３に沿って前後方向に往復移動させる移動機構６３とを有している。移動機構６３は、ガラスカバー４３に沿って前後方向に延びるスクリュー軸６４を有している。スクリュー軸６４の両端は軸受プレート４７に支持されている。スクリュー軸６４の外周面には、螺旋状のネジ山６４ａが長手方向に連続して形成されており、保持部材６２はこのスクリュー軸６４に嵌合支持されている。
【００２６】
図４乃至図８に示すように、保持部材６２は樹脂製で、スクリュー軸６４に外嵌合されてスクリュー軸６４から直接に動力を受ける円筒状の内側ボス部材６２ａと、内側ボス部材６２ａを内側に軽圧入状態で収容する外側ボス部材６２ｄとを備えた内外二重構造である。内側ボス部材６２ａは特許文献１のボス部１０６と同様の長さであるが、外側ボス部材６２ｄは内側ボス部材６２ａよりも２倍以上の長さの長尺に形成されている。
【００２７】
外側ボス部材６２ｄには、図１０に示すように、左側アーム部６２ｂが左側面から左側に延設されている。左側アーム部６２ｂの先端部は、上蓋４０の上面から突出する断面Ｌ字状の左側の第１レール部４９ａに係合している。外側ボス部材６２ｄの斜め下側面で左側アーム部６２ｂの右隣には、矩形の開口部６２ｅが形成され、開口部６２ｅの前後両端には、係合突起６２ｆが突設されている。係合突起６２ｆが第１レール部４９ａの右隣で上蓋４０の上面に前後方向に延びる２条の第２レール部４９ｃ間に係合している。
【００２８】
内側ボス部材６２ａには、図１１に示すように、右側アーム部６２ｃが右側面から右側に左側アーム部６２ｂよりも長く延設されている。右側アーム部６２ｃの先端部は、上蓋４０の上面から突出する断面Ｌ字状の右側の第３レール部４９ｂに係合している。これにより、内側ボス部材６２ａ及び外側ボス部材６２ｄは、一体となって第１レール部４９ａ、第２レール部４９ｃ及び第３レール部４９ｂにより前後方向に移動可能に案内される。
【００２９】
内側ボス部材６２ａの内周面には、略１周分の螺旋状のネジ山６２ｇが形成され、内側ボス部材６２ａをスクリュー軸６４に外嵌合した状態で、内側ボス部材６２ａのネジ山６２ｇがスクリュー軸６４のネジ山６４ａに螺合している。内側ボス部材６２ａの下側外周面には、位置決め突起６２ｈが突設され、内側ボス部材６２ａを開口部６２ｅが外側ボス部材６２ｄに軽圧入した状態で、位置決め突起６２ｈが開口部６２ｅの下縁に当接し、かつ右側アーム部６２ｃの基端が開口部６２ｅの上縁に当接することで、内側ボス部材６２ａが外側ボス部材６２ｄに対して周方向に回り止めされる。
【００３０】
右側アーム部６２ｃの上部基端には、バネ取付部６２ｊが突設され、バネ取付部６２ｊには、バネ７０がバネ取付部６２ｊの前後両側に延びるように取り付けられている。バネ取付部６２ｊの前側に突出する部分を前側バネ部７０ａ、バネ取付部６２ｊの後側に突出する部分を後側バネ部７０ｂとする。
【００３１】
右側アーム部６２ｃには、清掃部材６１取付用の矩形の取付孔６２ｋが上下に貫通して形成されている。清掃部材６１は、図１２に示すような四隅に係合片７１ａを有する二つ折れの樹脂製の板状ホルダー７１に、ガラスカバー４３の上面に当接する例えばシリコンパッド等の弾性部材からなるブレード７２（図１３参照）を図１４に示すように挟み込み、上下に隣り合う係合片７１ａを互いに係合させてブレード７２をホルダー７１に組み付けることで構成される。このように構成された清掃部材６１は、ホルダー７１の側面に形成された係止凸部７１ｂ（図１４参照）を右側アーム部６２ｃの取付孔６２ｋ内面に形成された係止凹部（図示せず）に係止させることで、図９に示すように、清掃部材６１が右側アーム部６２ｃに取り付けられる。
【００３２】
移動機構６３は、スクリュー軸６４の他に、被駆動ギア６５、アイドルギア６６及び入力ギア６７を有している（図２参照）。被駆動ギア６５は、スクリュー軸６４の前端部に固定されてスクリュー軸６４と共に回転する。アイドルギア６６は、被駆動ギア６５に対して右斜め下側から噛合している。入力ギア６７は互いに同軸に配置された小径ギア部（図示省略）及び大径ギア部６７ａを有している。入力ギア６７の小径ギア部は、アイドルギア６６に右斜め下側から噛合している。アイドルギア６６及び入力ギア６７は、上蓋４０の前側側面にそれぞれ軸部材を介して回動可能に保持されている。入力ギア６７の大径ギア部６７ａは、光学ハウジング２１が画像形成装置本体２内の所定箇所に上側からセットされることでモーターギアに噛合する。モーターギアは、画像形成装置本体２内に設けられたモーター６８（図１にのみ示す）に動力伝達可能に連結されている。モーター６８は、例えば画像形成装置本体２内の用紙搬送機構を駆動するためのモーターと兼用されていてもよい。
【００３３】
上記清掃機構６０の作動に際しては、上記モーター６８によりスクリュー軸６４が正逆両方向に駆動される。この結果、スクリュー軸６４が被駆動ギア６５と共に回転するので、スクリュー軸６４に嵌合支持された保持部材６２が前後方向に往復移動する。これにより、保持部材６２に保持された清掃部材６１のブレード７２がガラスカバー４３の上面に当接しながら前後方向に往復移動することでガラスカバー４３の表面の清掃が行われる。
【００３４】
清掃部材６１の往復移動経路Ａ（図３参照）は、前後方向に延びる直線状の移動経路であり、本実施形態では、往復移動経路Ａの後側移動端が待機位置とされている。この待機位置は、往復動作が終了した清掃部材６１を次回の往復動作の開始時まで待機させておく位置である。待機位置は、上蓋４０の上面部に形成された後側凹部４４ｂの上側に位置している。一方、往復移動経路Ａの前側移動端（待機位置とは反対側の移動端）は、上蓋４０の上面部に形成された前側凹部４４ａの下側に位置している。つまり、保持部材６２が往復移動して当接する軸受プレート４７を前側移動端及び後側移動端としている。清掃機構６０が作動することにより清掃部材６１が待機位置（往復移動経路Ａの後側移動端）から前側移動端に移動する間に収集したガラスカバー４３上の異物は前側凹部４４ａ内に落下する。一方、清掃部材６１が前側移動端に達した後に後側移動端に戻ってくる間に収集したガラスカバー４３上の異物は後側凹部４４ｂ内に落下する。落下した異物は、図示しない冷却風路内を流れる空気流の負圧によって冷却風路側に吸い込まれる。
【００３５】
以下に、本実施形態の画像形成装置１におけるガラスカバー４３の清掃動作を図５、図１５乃至図１７を参照して具体的に説明する。
【００３６】
図５は、内側ボス部材６２ａ及び外側ボス部材６２ｄが共に前側の軸受プレート４７に当接した状態であり、内側ボス部材６２ａのネジ山６２ｇはスクリュー軸６４のネジ山６４ａから外れている。
【００３７】
この状態からバネ７０の前側バネ部７０ａは軸受プレート４７に当接して圧縮されていることから、この圧縮力で内側ボス部材６２ａが僅かに後側に押し戻され、内側ボス部材６２ａのネジ山６２ｇがスクリュー軸６４のネジ山６４ａに噛み合う（第１工程）。
【００３８】
第１工程からスクリュー軸６４が回転すると、保持部材６２及び清掃部材６１が互いの位置を保持した状態でスクリュー軸６４に沿って後方に移動し（第２工程）、ブレード７２がガラスカバー４３の表面を清掃する。
【００３９】
外側ボス部材６２ｄが内側ボス部材６２ａよりも先に往復移動経路Ａの後側移動端に達して後側の軸受プレート４７に当接すると、外側ボス部材６２ｄは停止するが（第３工程）、内側ボス部材６２ａはその後も動き続け、外側ボス部材６２ｄに遅れて往復移動経路Ａの後側移動端に達して後側の軸受プレート４７に当接して停止する（図１６）。この際、内側ボス部材６２ａのネジ山６２ｇはスクリュー軸６４のネジ山６４ａから外れるが、バネ７０の後側バネ部７０ｂが軸受プレート４７に当接して圧縮されることから、直ちに後側バネ部７０ｂの圧縮力で内側ボス部材６２ａが僅かに前側に押し戻され、内側ボス部材６２ａのネジ山６２ｇがスクリュー軸６４のネジ山６４ａに噛み合う（第４工程）。
【００４０】
第４工程からスクリュー軸６４が逆回転すると、保持部材６２及び清掃部材６１が互いの位置を保持した状態でスクリュー軸６４に沿って前方に移動し（図１７、第５工程）、ブレード７２がガラスカバー４３の表面を清掃する。
【００４１】
外側ボス部材６２ｄが内側ボス部材６２ａよりも先に往復移動経路Ａの前側移動端に達して前側の軸受プレート４７に当接すると、外側ボス部材６２ｄは停止するが（第６工程）、内側ボス部材６２ａはその後も動き続け、外側ボス部材６２ｄに遅れて往復移動経路Ａの前側移動端に達して前側の軸受プレート４７に当接して停止する（図５、第７工程）。この際、内側ボス部材６２ａのネジ山６２ｇはスクリュー軸６４のネジ山６４ａから外れるが、バネ７０の前側バネ部７０ａが軸受プレート４７に当接して圧縮されることから、直ちに前側バネ部７０ａの圧縮力で内側ボス部材６２ａが僅かに後側に押し戻され、内側ボス部材６２ａのネジ山６２ｇがスクリュー軸６４のネジ山６４ａに噛み合う（第１工程）。
【００４２】
ところで、特許文献１のような清掃機構１０１では、図２０乃至図２２に示すように、保持部材１０４は、スクリュー軸１０５に嵌合する円筒形のボス部１０６と、ボス部１０６からスクリュー軸１０５と直交する方向に延びるアーム部１０７とを有していて、このアーム部１０７に清掃部材１０３が保持されているため、図２３に示すように、清掃部材１０３は往復移動時に透明カバー部１０２との当接による摩擦抵抗で傾こうとする。
【００４３】
これでは、ボス部１０６がスクリュー軸１０５の両端に達しても清掃部材１０３が傾いていると、透明カバー部１０２に拭き残しが生ずる。
【００４４】
そこで、ボス部１０６を長くしてスクリュー軸１０５との安定した嵌合状態を確保することが考えられるが、単にボス部１０６を長くしただけでは、その分だけ実質的な清掃領域が減少するため、清掃領域を十分に確保するためには光走査装置が大型化してしまう。
【００４５】
これに対し、本実施形態では、保持部材６２は内側ボス部材６２ａを外側ボス部材６２ｄに収容した内外二重構造であり、スクリュー軸６４に外嵌合して直接に動力を受ける内側ボス部材６２ａを特許文献１のボス部１０６と同様の長さにしているが、外側ボス部材６２ｄを内側ボス部材６２ａよりも２倍以上の長さにしている。そして、外側ボス部材６２ｄが軸受プレート４７に当接して停止した状態で、内側ボス部材６２ａが外側ボス部材６２ｄ内で軸受プレート４７に当接するまで移動するようにしているので、清掃部材６１の移動範囲を外側ボス部材６２ｄの長さに制約されることなく、従来と同様に設定することができる。しかも、内側ボス部材６２ａは、長尺の外側ボス部材６２ｄに収容されているため、保持部材６２は傾くことなく前後方向に安定して移動し、クリーニング性能が向上する。したがって、光走査装置４を大型化することなく実質的な清掃領域を十分に確保することができる。
【００４６】
《他の実施形態》
上記の実施形態では、移動機構６３としてスクリュー軸６４を有するスクリュー機構を採用したが、ワイヤー機構により保持部材６２をガラスカバー４３に沿って前後方向に往復移動させるような移動機構６３にしてもよい。例えば、図１８に示すように、４つのプーリー８０にワイヤー８１を矩形環状に巻き掛け、ワイヤー８１の前後方向に延びる２つの辺部に保持部材６２をそれぞれ固定し、２つの保持部材６２を互いに前後逆向きに移動させる。
【００４７】
《変形例》
上記の実施形態では、内側ボス部材６２ａ及び外側ボス部材６２ｄが軸受プレート４７に当接した際、前側バネ部７０ａ又は後側バネ部７０ｂの圧縮力で内側ボス部材６２ａが僅かに後側又は後側に押し戻され、内側ボス部材６２ａのネジ山６２ｇがスクリュー軸６４のネジ山６４ａに噛み合い、その後は内側ボス部材６２ａ及び外側ボス部材６２ｄが一体となって移動するようにしたが、内側ボス部材６２ａのネジ山６２ｇがスクリュー軸６４のネジ山６４ａに噛み合った後に、図１９に示すように、内側ボス部材６２ａが外側ボス部材６２ｄの開口部６２ｅの前後長さの範囲内で移動するようにしてもよい。
【産業上の利用可能性】
【００４８】
以上説明したように、本発明は、光走査装置及び該光走査装置を備えた画像形成装置に有用である。
【符号の説明】
【００４９】
１      画像形成装置
４      光走査装置
２１    ハウジング
４２    光出射口
４３    ガラスカバー（透明カバー部）
６１    清掃部材
６２    保持部材
６２ａ  内側ボス部材
６２ｄ  外側ボス部材
６３    移動機構
【図１】
2018034338.tif 000003
【図２】
2018034338.tif 000004
【図３】
2018034338.tif 000005
【図４】
2018034338.tif 000006
【図５】
2018034338.tif 000007
【図６】
2018034338.tif 000008
【図７】
2018034338.tif 000009
【図８】
2018034338.tif 000010
【図９】
2018034338.tif 000011
【図１０】
2018034338.tif 000012
【図１１】
2018034338.tif 000013
【図１２】
2018034338.tif 000014
【図１３】
2018034338.tif 000015
【図１４】
2018034338.tif 000016
【図１５】
2018034338.tif 000017
【図１６】
2018034338.tif 000018
【図１７】
2018034338.tif 000019
【図１８】
2018034338.tif 000020
【図１９】
2018034338.tif 000021
【図２０】
2018034338.tif 000022
【図２１】
2018034338.tif 000023
【図２２】
2018034338.tif 000024
【図２３】
2018034338.tif 000025